(57)【要約】本発明は、液晶ディスプレイモジュールおよび再配置可能な前置偏光子を有する電子装置を含む。ビューアは、前置偏光子を通してディスプレイモジュールを見る。ディスプレイ外観を変更するため、ディスプレイコントラストを強化するため、画像を反転するため、周辺光の露光を増大させるため、プライバシーを提供するためなど、前置偏光子を再配置することができる。再配置可能な前置偏光子は、ディスプレイモジュールの前に傾斜可能および／または回転可能に取付けられてもよく、または、たとえば、１対の偏光眼鏡上など遠くに位置してもよい。本発明はまた、液晶セルと前置偏光子との間に配置された内部フロントライトガイドを有する反射液晶ディスプレイを含む。したがって、フロントライトガイドからの光は、前置偏光子によって減衰されることなく、液晶セルを照らすことができ、より明るいフロントライト型ディスプレイとなる。
2004531769.tif 000002
【特許請求の範囲】
【請求項１】
情報を表示する光の偏光を選択的に変化させるための液晶ディスプレイモジュールと、
電子装置に取付けられる前置偏光子であって、該前置偏光子を通した前記ディスプレイモジュールの目視可能性を維持しながら、該ディスプレイモジュールに対し接近または離反する方向へ傾斜可能な前置偏光子と、
を具備する電子装置。
【請求項２】
前記ディスプレイモジュールが、反射モードで動作できる請求項９に記載の電子装置。
【請求項３】
反射モードで情報を表示できる液晶ディスプレイを具備する電子装置であって、
前記液晶ディスプレイは、
ビューア位置に向かって方向付けられる前面を有して、光の偏光を選択的に変化させる液晶ディスプレイモジュールと、
前記液晶ディスプレイに関連付けられて前記ディスプレイモジュールと前記ビューア位置との間に配置される前置偏光子であって、該ディスプレイモジュールの前記前面からの光が該前置偏光子を最初に通過することなく該ディスプレイモジュールを照射するようになっている前置偏光子とを備えて構成される、
電子装置。
【請求項４】
前記前置偏光子が、前記ディスプレイモジュールに対し接近または離反する方向へ傾斜可能に、前記電子装置に取付けられる請求項１１に記載の電子装置。
【請求項５】
前記ディスプレイモジュールと前記前置偏光子との間に配置されるフロントライトガイドをさらに具備する請求項１１に記載の電子装置。
【請求項６】
前記前置偏光子は、ビューアに着装されるように構成された物品に設けられるとともに、該前置偏光子がビューアの眼と前記ディスプレイモジュールとの間にあるときに、該ディスプレイモジュールによって表示される情報が該前置偏光子を通して目視可能であるように方向付けられる請求項１１に記載の電子装置。
【発明の詳細な説明】
【技術分野】
【０００１】
本発明は一般に、電子装置において液晶ディスプレイの外観を変更することができる着脱自在に取付け可能または再配置可能な構成部品に関し、さらに詳細には、再配置可能、着脱自在に取付け可能または交換可能な前置偏光子および交換可能な液晶ディスプレイモジュールに関する。
【背景技術】
【０００２】
ビューアに情報を伝達するための電子ディスプレイを含む電子装置は、ほぼ至る所に存在するようになってきている。携帯電話、ハンドヘルドコンピュータ、電子ゲーム、カーステレオおよびインジケータ、公共ディスプレイ、現金自動預け払い機、インストア・キオスク、家庭用電化製品、コンピュータモニタなどはすべて、人々が日常的に接する情報ディスプレイを含む装置の例である。これらのディスプレイの多くは液晶ディスプレイであり、液晶ディスプレイの多くはモノクロである。
【０００３】
液晶ディスプレイは、ディスプレイを照らそうとする光を取り出し、その光を偏光し、液晶材料を用いて光の偏光状態を選択的に変更し、前置偏光子によって光を分析することによって機能する。前置偏光子の透過軸と一直線に並んだ偏光状態を有し、前置偏光子に透過される光は、偏光子を通過することによって、明るいスポットを生成する。前置偏光子の透過軸と一直線に並ばない偏光状態を有し、前置偏光子に透過される光は、前置偏光子によって少なくとも部分的に遮断され、完全に遮断される場合もあり、それによって暗めのスポットまたは暗いスポットを生成する。各スポットは一般に、画素と呼ばれる。併せて考えると、画素は、ビューアに情報を表示することができる画像を形成する。
【発明の開示】
【発明が解決しようとする課題】
【０００４】
本発明は、電子装置用の液晶ディスプレイ（ＬＣＤ）の外観および／または機能性をスタイル化およびカスタマイズするためのまったく新しい寸法に盛り込む。本発明において、１つ以上の偏光子は、表示された背景および／または文字の色を加えるか、または変更するために用いられ、画像の反転を行い、液晶ディスプレイに異なる外観特性を与えるさまざまな他の視覚的または光学的効果を形成することができる。本発明によれば、偏光子または偏光子を含む物品は、交換および／または液晶ディスプレイモジュールに対して再配置を行い、同電子装置用に異なるディスプレイ外観を容易に実現することができる。本発明の交換可能な偏光子は、前置偏光子および／または後置偏光子であってもよい。また、本発明によれば、電子装置は、異なるディスプレイ外観および／または機能性を可能にするためにディスプレイモジュールと互換性があってもよい。
【０００５】
電子装置のＬＣＤ用に着脱自在に取付け可能または再配置可能な前置偏光子を提供することは、装置と共に提供されるＬＣＤモジュールがその前面に通常は接着される前置偏光子を備えていない方が好ましいことを示唆している。そういう次第で、前置偏光子は、ディスプレイを見ることができるようにするために、ディスプレイとビューアとの間に個別に配置されることになっている。本発明は、このような前置偏光子を着脱自在に取付け可能または再配置可能なアイテムとして提供する。本発明はＬＣＤモジュールから前置偏光子を分離することを予想しているため、前置偏光子素子の交換または再配置によってディスプレイ外観を変更する機会がある。異なる色の偏光子、異なる配向の偏光子、パターン化された偏光子、傾斜可能または回転可能な偏光子などを用いることによって、好み、性能、一時的な流行または気紛れに応じて、ディスプレイ外観を容易に変更することができる。色の変更および画像の反転に加えて、所望に応じてディスプレイコントラスト、明るさおよびプライバシー表示などの機能的な特性を変更または追加することもできる。
【０００６】
着脱自在に取付け可能な前置偏光子は、ディスプレイ偏光子およびＬＣＤのカスタマイゼーションに関する新たな市場を作り出すことができる。用いようとしているディスプレイとは異なるアイテムとして前置偏光子を販売することによって、およびディスプレイ外観を変更することができる交換可能に取付け可能な物品として前置偏光子を市場に出すことによって、エンドユーザの好みおよび要望が直接喚起され、入手可能なディスプレイスタイルおよび性能特性に影響を及ぼす可能性がある。これに引き換え、消費者がディスプレイから前置偏光子を分離しないディスプレイスタイルを選択することができることにより、場合によっては、いずれのスタイルがより好評であるかに関する市場情報が収集される前に、多数の異なるディスプレイモジュールの在庫調査を行い、在庫を維持しなければならない。これは費用のかかる計画であり、電子装置メーカがおそらくやりたがらない計画であろう。多岐にわたる異なる前置偏光子を比較的迅速かつ簡単に製作することができ、ディスプレイモジュールまたは電子装置全体よりはるかに廉価で在庫調査を行うことができることから、本発明は、ディスプレイスタイルのオプションを提供する唯一の機会を設ける。
【０００７】
本発明はまた、電子装置においてディスプレイモジュールを交換することができる。ディスプレイ外観のカスタマイゼーションのためにディスプレイモジュールを取外して交換することができ、ディスプレイ機能のカスタマイゼーションおよび新たなディスプレイ技術が出現するときのディスプレイの改良のためにディスプレイモジュールを取外して交換することもできる。電子装置を構成するコアエレクトロニクス、電源およびハウジングを維持すると同時に、これをすべて実現することができる。
【課題を解決するための手段】
【０００８】
一態様において、本発明は、情報を表示するために、光の偏光を選択的に変更するための液晶ディスプレイモジュールと、電子装置に再配置可能に取付けられる前置偏光子と、を具備し、ディスプレイモジュールが前置偏光子を通して見られることができる位置に２つ以上の前置偏光子がある電子装置を提供する。
【０００９】
別の態様において、本発明は、光の偏光を選択的に変更するための液晶ディスプレイモジュールと、液晶ディスプレイモジュールとビューアの位置との間に位置決めされる前置偏光子と、前置偏光子と液晶ディスプレイモジュールとの間に位置決めされるフロントライトと、を具備し、フロントライトによって放射される光が液晶ディスプレイモジュールに入射するように液晶ディスプレイモジュールを照射することができるフロントライトが偏光され、選択的偏光の変更のために液晶ディスプレイモジュールを通って戻るようになっているフロントライト式液晶ディスプレイを提供する。
【００１０】
さらに別の態様において、本発明は、液晶ディスプレイモジュールが、前置偏光子を具備していないため、ディスプレイモジュールによって表示される画像が裸眼によって容易に見分けにくいという条件付きで、反射モードで動作することができる液晶ディスプレイモジュールと、ビューアが着用するように構成された物品であって、ビューアの眼と液晶ディスプレイモジュールとの間に物品を配置することができ、その透過軸により、偏光子を通してディスプレイモジュールを見ることができるように配向された偏光子を具備する物品と、を具備するハンドヘルド式電子装置を含むキットを提供する。
【００１１】
本発明は、添付図面と共に本発明のさまざまな実施形態の以下の詳細な説明を考慮すればより完全に理解されるであろう。
【００１２】
本発明は、さまざまな修正および代替形態を容易に実現できるが、その仕様は図面に実施例によって示され、詳細に説明される。しかし、本発明は示された特定の実施形態に限定するわけではないことを理解すべきである。逆に言えば、本発明は、本発明の精神および範囲を逸脱することなく、すべての修正物、等価物、代替物を網羅するものとする。
【発明を実施するための最良の形態】
【００１３】
本発明は、液晶ディスプレイモジュール用に、取外し可能、着脱自在に取付け可能、交換可能および／または再配置可能な前置偏光子としての偏光子（中性偏光子、単色偏光子、デュアルカラー偏光子など）の利用に関する。たとえば、レンズ、窓、透明フィルム、面板、カバーまたはユーザが偏光子を通して電子装置のＬＣＤモジュールを見ることができるような位置で電子装置に着脱自在に取付けることができるような他のアイテムなど、物品の一部として偏光子を含むことができる。偏光子自体はまた、窓部材、レンズ、フィルムまたは電子装置に永久にまたは取外し可能に取付けられるか、または取付けることができる他のアイテムに取付ける（たとえば永久に接合される、取外し可能に接着されるなど）ことができるように構成されてもよい。前置偏光子が再配置可能である実施形態において、ディスプレイモジュールに対して偏光子を傾斜および／または回転することができる。したがって、着脱自在または永久的な方法において、電子装置に偏光子を傾斜可能および／または回転可能に取付けてもよい。
【００１４】
偏光子の交換および／または再配置に関連する本発明の態様は本願明細書では、主に前置偏光子に関して説明されているが、後置偏光子を交換および／または再配置することによって、同様の効果または類似の効果（たとえば、色の配合のカスタマイゼーション、画像の反転、明るさおよびコントラストの強化など）を実現することができることを認識されたい。一部の用途では、前置偏光子の位置にユーザがアクセスしやすいことから（または他の理由から）、前置偏光子の交換または再配置が、ディスプレイ外観をカスタマイズするためにより適した方法である場合がある。他の用途では、装置設計要件から（または他の理由から）、後置偏光子の交換または再配置が、ディスプレイ外観をカスタマイズするためにより適した方法である場合がある。
【００１５】
本発明はまた、電子装置の残りの部分が本質的にそのまま維持されると同時に、たとえば、異なるディスプレイ特性、または異なる機能性または向上した機能性を有するディスプレイモジュールを交換するために、電子装置から取外され、電子装置に差込むように構成される液晶ディスプレイモジュールに関する。
【００１６】
前置偏光子を交換可能および／または再配置可能な偏光子を提供する実施形態において、前置偏光子は、液晶ディスプレイモジュールから分離したアイテムである。交換可能および再配置可能な偏光子は電子装置の液晶ディスプレイの前置偏光子（「検光子」と呼ぶこともある）として機能することを目的としているため、液晶ディスプレイモジュールはそれ自身の前置偏光子を予め供給されていないことが好ましい。そういう次第から、本発明は、ディスプレイモジュールおよび前置偏光子の分離を予想しているため、実現する前ではなく、今度は一定のレベルのディスプレイ外観のカスタマイゼーションおよびパーソナライゼーションを生み出す商取引の独特の経路を通じて、前置偏光子を市場に出したり、流通させたり、販売したりすることができる。たとえば、異なる色、配向またはパターンの前置偏光子は、ディスプレイ外観をカスタマイズするために、構成部品として直接エンドユーザに販売することができる。このように、前置偏光子を交換することによって、同一の電子装置およびディスプレイに関して複数の異なる「外見」を容易に得ることができる。着脱自在に取付け可能および再配置可能な偏光子および対応する電子装置は、電子装置の一連の商取引において、エンドユーザレベル（好ましいことがよくある）を含めて、任意の点で前置偏光子の交換および再配置を実行することができるように適合されることができる。交換可能な前置偏光子と併せてまたは交換可能な前置偏光子とは独立に、カバーまたは面板を交換することができることにより、さらなる外観のカスタマイゼーションの規模を追加することができる。
【００１７】
本発明による前置偏光子を含む着脱自在に取付け可能な物品は、異なる文字および／または背景の色、異なる色の配合およびパターン、画像の反転、コントラストの強化または調整などをはじめとする異なる表示体験を与えるために、他の前置偏光子を有する他の物品と交換されることができる。一部の実施形態では、たとえば、電子装置用の交換可能なカバーまたは面板の色および／または他の外観特性に対してディスプレイの外観を調和させるために、ディスプレイの外観をカスタマイズするために、前置偏光子の交換を用いることができる。また、カバー、面板または他のそのようなアイテムの変更または電子装置への追加を行うことなく、電子装置の外観をカスタマイズするために、交換可能な前置偏光子を用いることができる。
【００１８】
前置偏光子もまた電子装置に着脱自在に取付け可能であるかどうかに関係なく、再配置可能な前置偏光子は、ディスプレイモジュールに対して傾斜および／または回転されることができ、多くの場合にはディスプレイモジュールとは独立である前置偏光子である。ディスプレイ外観を「大急ぎで」変更するため、またはたとえば、変更した照明状態に適合させるために、ユーザによって所望のコントラストまたは明るさなどのディスプレイ性能特性を強化または調整するために、再配置可能な前置偏光子を用いることができる。
【００１９】
取外し可能かつ交換可能なディスプレイモジュールにより、ユーザは、ディスプレイ外観のほか、ディスプレイサイズおよびディスプレイ機能性も変更することができる。たとえば、携帯電話のディスプレイおよびキーパッドは、（個別にまたは一構成要素として）取外し可能であり、タッチパネルユーザインターフェイスを有するより大きなディスプレイと交換可能であってもよい。ディスプレイモジュールの交換可能性はまた、新たな装置全体を購入することなく、新たな技術によるディスプレイまたはより高級なディスプレイを備えた電子装置に向上させるためにも用いられることもできる。
【００２０】
本発明において予想される電子装置の例としては、携帯電話、携帯情報端末（ＰＤＡ）および他のハンドヘルドオーガナイザなどの携帯装置、コンピュータ、カレンダ、電子書籍、ラジオまたは液晶ディスプレイを有するコンパクトディスクプレイヤ、ディジタル多用途ディスク（ＤＶＤ）プレイヤ、自動車の液晶ディスプレイ、液晶ディスプレイを具備する家庭電化製品、液晶ディスプレイを有する腕時計および置時計、ハンドヘルド電子ゲームなどが挙げられる。
【００２１】
本発明において用いるために予想される電子装置は、ビューアに画像または情報を表示するための液晶ディスプレイを備えることができる。液晶ディスプレイは、高解像度、中程度の解像度または低解像度で、単色画像、多色画像またはフルカラー画像またはこれらの任意の組合せ（たとえば、中程度の解像度の単色の英数字およびグラフィックス表示領域と組合せた低解像度のカラーアイコンバー）を表示することができる任意の適切な液晶ディスプレイであってもよい。一般に、液晶ディスプレイは、反射モード、透過モードまたはその両方のモードで機能することができる。反射型ＬＣＤのほか、反射モードで動作中の透過ＬＣＤは、液晶セルの前側またはビューアの側から入射する光を用いて照らされることができる。このような光は、周辺光および／または内部光源によって生成され、フロントライトガイドを用いて前からディスプレイに指向される光であってもよい。透過ＬＣＤのほか、透過モードで動作中の半透過ＬＣＤは、通常は液晶セルの後方に位置している内部光源からの光を用いて照らされることができる。
【００２２】
本発明によれば、着脱自在に取付け可能な前置偏光子が電子装置に提供されることができる、その用途のために設計または適合されている。前置偏光子を含む着脱自在に取付け可能な物品を作製するために、窓、レンズ、あるいは電子装置または液晶ディスプレイに直接または１つ以上のカラー、カバー、面板などの利用によって、取外し可能に取付けられることができる他の可視光透過基板に、偏光子を積層、成形、接合または他の方法で接着することができる。そういう次第で、偏光子は、カバーまたは面板の窓部分に永久に取付けられてもよく、電子装置および／またはそれ自体が取外し可能に取付けられることができるカバーまたは面板に取外し可能に取付ける交換可能な窓またはレンズの一部であってもよく、液晶ディスプレイなどの前に位置している既存のレンズまたは窓部分に取付けられることができるアドオンアイテムであってもよい。
【００２３】
本発明の再配置可能な前置偏光子は同様に、窓要素、レンズ素子などとして設けられてもよく、面板、カバーまたは他のそのようなアイテムまたはその一部として設けられてもよい。
【００２４】
取外し可能なディスプレイモジュールは、電源およびモジュールに既に含まれているわけではない任意の必要な電子装置に、適切な態様で電子的に接続すればよい完全に機能するディスプレイとして形成されることが好ましい。具体的な実施形態において、装置の完全性を損なう過度に高い危険を行うことなく、ディスプレイモジュールの取外しおよび交換を行うことができるように、電子装置をモジュール方式に設計または適合することができる。
【００２５】
本発明の実施形態のいずれにおいても、着脱自在に取付け可能または再配置可能な前置偏光子、前置偏光子を含む着脱自在に取付け可能または再配置可能な物品および取外し可能なディスプレイモジュールは、任意に他の所望のコーティング、光学フィルムまたは構成部品および／または任意の適切な組合せの電子構成部品を含むことができることを理解されたい。たとえば、波長板、レンズ、位相差板、補償板、光制御フィルム、プライバシーフィルム、輝度強化フィルム、フィルター、グレア防止コーティング、汚れ防止コーティングおよびタッチパネルは、具備されてもよい一部の構成部品である。そういう次第で、硬さ、グレア低減、色または光学的性能または電子的機能性を改善するための任意の追加部品は、本発明の一部として考えるべきである。
【００２６】
図１は、汎用の電子装置１００を示しており、ハウジング１１０と、液晶ディスプレイ１２０と、ディスプレイ１２０を作動するためおよび装置を機能させるための電子部品（図示せず）と、を具備している。装置１００はまた、充電式バッテリなどの電源（図示せず）および／または装置を遠隔電源（図示せず）に接続するための手段も具備することができる。電子装置１００はまた、前置偏光子を含む着脱自在に取付け可能な物品１０を含むか、または含むように適合性がある。物品１０は、ディスプレイ１２０とユーザまたはビューア１７０との間の位置に取付けられるか、または取付け可能である。物品１０は、ハウジング１１０、ディスプレイ１２０あるいは電子装置またはディスプレイに（取外し可能にまたは永久に）取付けることができる別のアイテムに取付けられてもよい。
【００２７】
ディスプレイ１２０は、液晶ディスプレイモジュール１３０と、後置偏光子１６０、反射体１５０、バックライト１４０などの光学構成部品と、を具備している。また、他の構成部品も、ディスプレイモジュール１３０の後方または前方に具備されていてもよい。たとえば、周辺光が所望の表示のために不十分である場合には、反射モードディスプレイ用の補助のフロントライトを提供するために、フロントライト光源およびライトガイド（図示せず）をモジュール１２０とビューア１７０との間に供給することができる。ディスプレイ１２０の構成部品の相対的な位置は、説明のために示されているに過ぎず、個別の構成部品の位置および存在は、さまざまな要因に左右される可能性があることを十分に理解されたい。
【００２８】
図１に示されているような実施形態の場合には、ディスプレイモジュール１３０は、前置偏光子を含まない方が好ましい。その代わりに、物品１０は前置偏光子を含み、前置偏光子を通して、ユーザは画像を見分けるためにディスプレイを見る。他の実施形態において、ディスプレイモジュール１３０が電子装置１００に取外し可能に取付けられる場合には、１つ以上の偏光子はディスプレイモジュール１３０の前置偏光子および／または後置偏光子として含まれてもよい。さらに別の実施形態において、前置偏光子は、装置１００に傾斜可能または回転可能に取付けられる。
【００２９】
電子装置１００および／または着脱自在に取付け可能な物品１０は、物品１０の偏光子がディスプレイ１２０のための前置偏光子として作用するような位置で物品１０を装置１００に着脱自在に取付けるように適合させることができる。任意の適切な取付け手段またはそれらの組合せを用いることができる。たとえば、物品１０を所定の位置に弾装または摺動させるためにさねはぎシステムを用いてもよく、位置ガイドとして、および／または物品１０を所定の位置に締まり嵌めするための手段としてタブアンドスロットを用いてもよく、フックアンドループファスナまたは微小構造付きファスナなどの機械的な固締具を用いてもよく、物品１０の取付けおよび取外し（および任意に再取付け）を行うことができる接着剤を用いてもよく、カラーまたはフレームが電子装置１００に着脱自在に取付けるようになされている場合には、物品１０を所定の位置に保持するカラーまたはフレームを用いてもよく、物品１０を所定の位置に位置決めおよび／または物品１０を所定の位置に締まり嵌めするためにペグアンドホールを用いてもよく、物品１０を装置１００に位置決めして着脱自在に接合するために連結する雄部材および雌部材を適切に適合させてもよい。取付け手段は、物品１０の一部として、またはカバー、面板、フレームまたは物品１０を所定の位置に保持すると同時に、装置に取付けることができる他のアイテムの一部として含まれてもよい。
【００３０】
図２（ａ）〜図２（ｆ）は、前置偏光子を含む物品を、液晶ディスプレイモジュールを含む電子装置に着脱自在に取付けるための取付け手段の一部の非限定的な実施例を挙げている。図２（ａ）は、物品２００におけるタブ２０１を装置２０２における対応するスロット２０３に嵌合することによって、物品２００を装置２０２に着脱自在に取付けることができることを示している。また、タブアンドスロット装置は、逆転していてもよい。比較的容易に位置決めすることができるようにするために、スロットおよびタブを嵌合する前に、わずかに曲げることができるように、物品２００は、少なくとも幾分可撓性または湾曲可能であることが望ましい。一旦位置決めが完了すると、タブおよびスロットは、物品２００を固定するようにさらに十分に嵌合することができる。
【００３１】
図２（ｂ）は、装置２１２に着脱自在に取付けられる物品２１０の部分断面図を示している。物品２１０は、掛止用凹部２１３に嵌合されることができるフランジロッキング部材２１１を含む。フランジロッキング部材２１１は、物品２１０の中心部分に設けられてもよく、または物品２１０の周囲全体にわたって具備されていてもよい。ロッキング部材２１１および掛止用凹部２１３は、物品２１０を装置２１２における所定の位置に直接弾装することによって係合されてもよく、物品２１０を装置２１２に摺動させる（たとえば、図２（ｂ）に示されている頁上または頁から外側に物品２１０を摺動させる）ことによって係合されてもよい。
【００３２】
図２（ｃ）は、雄型ロッキングタブ２２１を有する第１の物品２２０と、雄型タブ２２１を係合し、着脱自在に掛止することができる雌型のロッキングタブ２２４を有する第２の物品２２３と、の部分断面図を示している。雄型および雌型のロッキングタブは、電子装置と、前置偏光子を含む物品のいずれかまたは両方に位置していてもよい。
【００３３】
図２（ｄ）は、ピン２３０と、物品２３２中の対応する孔２３３と、を示している。ピン２３０は、ピン２３０を孔２３３に摩擦嵌合し、嵌合時にはピン２３０を所定の位置に着脱自在に掛止するための任意のばね２３１を備えていることが示されている。あるいは、ばねを使用しない嵌合の場合には、ピンと孔との間の摩擦に左右される可能性がある。ピンおよび孔はまた、他の取付け手段を用いて、前置偏光子を含む物品を電子装置に着脱自在に取付ける場合に適切な心合わせを確実にするのに一役買うための位置決めガイドとして用いられることもできる。電子装置または物品を含む前置偏光子のいずれかまたは両方は、１つ以上のピンまたは孔を具備することができる。
【００３４】
図２（ｅ）は、前置偏光子を含む物品２４０と、電子装置、電子装置用の面板またはカバーなどであってもよい物品２４２と、を概略的に示している。物品２４０は、物品２４２における類似の形状の環状領域２４３に対応する環状領域２４１を有することが示されている。環状領域２４１、２４３は、機械的固締具および／または嵌合面が位置することができる領域を示している。たとえば、環状領域２４１、２４３は、嵌合するフックアンド材料、嵌合微小構造面固締具などを含んでいてもよい。あるいは、環状領域２４１、２４３の一方または両方は、物品２４０を装置２４２に着脱自在に取付けることができる接着剤を含んでいてもよい。別の代替例において、接着剤は、物品２４０、２４２を永久に取付けて、たとえば、電子装置に着脱自在に取付けることができる完全な面板またはカバーを形成する。
【００３５】
図２（ｆ）は、前置偏光子を含む物品２５０と、液晶ディスプレイを含む携帯型電子装置２５３と、を概略的に示している。物品２５０は翼（または舌）２５１を有するようになされ、装置２５３は、装置２５３のディスプレイの上方に物品２５０を摺動させるときに、翼２５１を誘導するためのスロット（または溝）２５４を有するようになされている。図示されているように、物品２５０の翼２５１は、バンプ２５２が装置２５３のスロット２５４内部に位置している対応する窪み２５５に摩擦嵌合するときに、物品２５０を所定の位置に弾装するのに役立つバンプ２５２を具備している。
【００３６】
着脱自在に取付け可能な物品１０は、前置偏光子のみを具備してもよく、または適切な基板またはフレーム上に配置されるか、または適切な基板またはフレームに取付けられた前置偏光子を具備していてもよい。図３（ａ）は、基板３１の一面に配置された偏光子３０を含む具体的な物品１０を示している。偏光子３０は、たとえば光学的に透明な接着剤であることが好ましい任意の接着剤層３２を用いて、基板３１に積層、接合、接着または他の方法で取付けられてもよい。基板３１は、偏光子３０のための機械的な支持材を形成することができる。また、物品１０の一部である任意の取付け手段を基板３１上に位置決めすることが好都合である場合もある。
【００３７】
あるいは、偏光子３０は、一体の偏光子／基板素子を形成するために、基板３１に成形されてもよい。たとえば、基板３１は、ポリアクリレートまたはポリカーボネートなどの透明プラスチックから成形されるレンズまたは窓であってもよい。一体素子を形成するために、偏光子および基板を接合するために、成形工程の任意の適切な時点で、偏光子３０を付加することができる。
【００３８】
基板３１は、任意の適切な基板であってもよく、物品１０が電子装置の液晶ディスプレイの前に位置しているとき、ビューアが物品１０を通して液晶ディスプレイを見ることができるように、可視スペクトルのすべてまたは１箇所以上の部分で実質的に透過であることが好ましい。たとえば所望のディスプレイ外観を実現するために、基板３１は透明であっても色付きであってもよい。基板３１は、複屈折性であっても、非複屈折性であってもよい。従来から培われてきた知恵は液晶ディスプレイモジュールとその前置偏光子との間に配置された複屈折材料を用いることに対して論駁しているであるのに対し、基板３１が複屈折性を有することは、一部の光学性能の一部の潜在的な損失があったとしても、目を引き、視覚的に楽しませる光学的効果を生じることになる。
【００３９】
また、基板３１または接着剤３２は、光拡散作用を実現すること、たとえばディスプレイの視野角の範囲を増大させることが望ましい場合がある。粒子および／または構造面の挿入により、基板または任意の接着剤に拡散作用を付加することができる。偏光子３０がビューアと基板３１との間に位置している場合には、基板３１または接着剤３２は拡散作用を実現し、拡散体は光の偏光を実質的に維持する拡散体であることが好ましい。適切な基板材料としては、ガラス、ポリカーボネートおよびポリアクリレートなどの硬質プラスチック、ポリエチレンテレフタレート、ポリイミドなどの軟質プラスチックが挙げられる。基板３１は窓として機能してもよく、または光学的効果を提供してもよい。たとえば、基板３１は、たとえば拡大鏡などのレンズであってもよい。基板３１はまた、紫外線防止、電磁妨害遮蔽などを提供するようになされてもよい。
【００４０】
偏光子３０は、液晶ディスプレイ用の前置偏光子として適切な任意の偏光子であってもよい。具体的な偏光子としては、１つの直線偏光状態を実質的に透過し、直交する直線偏光状態を実質的に吸収または反射する直線偏光子が挙げられる。偏光子３０は、（たとえば、より高い消光比を実現するため、および／または所望の外観効果を得るために、）別の偏光子、位相差板、波長板、補償板などの他の素子と組合せてもよい。前置偏光子を形成するために、２つ以上の偏光子が積み重ねられる場合には、個別の透過軸を整列させるか、交差させる（すなわち直交するように配向する）か、またはそれらの間に任意の他の所望の角度をなすように位置決めすることができる。
【００４１】
偏光子３０は、文字を表示するディスプレイによって放射される偏光を優先的に透過するように、または背景を表示するディスプレイによって偏光を表示するディスプレイによってその透過軸が位置決めされるように配向されることが好ましい。一般に、文字および背景は、直交するように配向された偏光状態によって表示される。具体的な用途において、物品１０は、所望のディスプレイ外観のために液晶ディスプレイモジュールに対して効果的に偏光子３０を配向することができるように、その配向が既知である液晶ディスプレイモジュールを含む特定の電子装置または電子装置の類に着脱自在に取付けるために設計および適合されている。あるいは、基板３１は特定の電子装置または電子装置の類のために設計および適合されており、偏光フィルムは基板３１と共に設けられてもよいが、個別に設けられてもよい。そのような場合には、所与の装置および液晶ディスプレイの場合には、所望の配向が実現されるまで、偏光フィルムを位置決めして回転することができる。その後で、たとえば光学接着剤を用いて、偏光フィルムを基板３１に接着することができ、余分なフィルムを取り除くことができる。
【００４２】
図３（ｂ）は、たとえば着脱自在に取付け可能な前置偏光子または後置偏光子、再配置可能な前置偏光子または後置偏光子または取外し可能なディスプレイモジュールに取付けられる前置偏光子または後置偏光子として、発明において有用な偏光子３００を示している。一般に、偏光子３００は、偏光平面に応じて、異なるスペクトル特性を有する入射光を透過する。たとえば、不規則な偏光３０２が偏光子３００に入射するとき、第１の直線偏光状態３０４の光（“←→”は頁の平面における偏光を示す）は、第１のスペクトル分布を有し、透過されることができ、第２の直交する直線偏光状態３０６の光（“・”は頁の平面に直交する偏光を示す）は、第１のスペクトル分布とは異なる第２のスペクトル分布を有し、透過されることができる。所与の偏光状態に関して透過スペクトルに含まれていない光は、偏光子３００が吸収偏光子であるときには偏光子３００によって実質的に吸収され、偏光子３００が反射偏光子であるときには偏光子３００によって実質的に反射される。図３（ｂ）は直線偏光子の場合を示しているが、一般に、円偏光状態と直線偏光状態との変換のために、４分の１波長板と共に円形偏光子を用いることもできる。
【００４３】
１つの偏光状態を有する実質的にすべての可視光を透過し、他の偏光状態の可視光（白／黒または中性）を実質的にまったく透過しないように偏光子３００を構成することができる。また、１つの偏光状態を有する光の色および直交する偏光状態を有する光の別の色（カラー／カラーまたはデュアルカラー）を透過するように偏光子３００を構成することもできる。また、１つの偏光状態を有する光の色を透過し、他の偏光状態（カラー／黒）を有する可視光を実質的にまったく透過しないように偏光子３００を構成することもできる。また、１つの偏光状態を有する実質的にすべての可視光を透過し、他の偏光状態を有する光の色（カラー／透明またはカラー／白）を透過するように偏光子３００を構成することもできる。
【００４４】
図３（ｂ）に具体的に示されていないが、偏光子３００は単独の偏光子であってもよく、（たとえば、コントラストを増大するため、色を変更するため、デュアルカラー性能を実現するためなど）２つ以上の偏光子を含んでもよく、（たとえば、配色を強化するため、デュアルカラー性能を実現するためなど）偏光子および着色層を含んでもよく、または（たとえば、偏光状態を変更するため、コントラストの強化のため、配色のためなど）偏光子および１つ以上の位相差板を含んでもよい。着色偏光子および偏光素子については、国際公開第０１／３１３７１号パンフレット、国際公開第９６／３７８０６号パンフレット、国際公開第９６／１６０１５号パンフレットおよび米国特許第６，１４７，９３７号明細書、米国特許第５，７５１，４８３号明細書、米国特許第５，７５１，３８９号明細書、米国特許第４，７７０，５００号明細書に開示されている。また、異なる領域が異なる色および／または異なる偏光状態を透過するように、偏光子３００は、パターン形成されてもよい。パターン形成領域は、不規則であっても順に並んでいてもよい。パターン形成偏光素子の実施例は、国際公開第０１／３１３７１号パンフレット、国際公開第９８／５２０７７号パンフレット、国際公開第９６／１６０１５号パンフレットおよび米国特許第５，８６１，９３１号明細書、米国特許第５，２３５，４４９号明細書、米国特許第４，４６６，７０４号明細書に開示されている。
【００４５】
表１は、偏光子３００によって透過されることができる２つの直交する直線偏光状態のそれぞれに関する可能なスペクトルの組合せの実施例を示している。他の所望の色の組合せも本発明によって予想される。
【００４６】
【表１】
2004531769.tif 000003
【００４７】
偏光子が液晶ディスプレイ用の前置偏光子として用いられ、適切に配向されるときには、これらの色の組合せは、表示される文字の外観および表示される背景の外観に現れる。たとえば、白の背景に黒の文字を表示するためまたは９０°回転して黒の背景に白の文字を表示するために、白／黒の偏光子を用いることができる。最初の配向から偏光子を９０°回転することによって、任意の可能な色の組合せに関して画像の反転（すなわち、文字の色および背景の色の逆転）を行うことができる。（たとえば、コントラストがある程度弱めるようになっている場合であっても、望ましい配色効果を実現するために、）最初の配向から０°〜９０°の中間の配向も可能である。
【００４８】
本願明細書で用いられるとき、「カラー」なる語は、可視スペクトルの１箇所以上の部分の光を吸収し、それによって光の色を透過するために１種類以上の染料が用いられるときに期待されるような可視スペクトル全体に満たないスペクトル分布を示す。カラーは、さまざまな染料に関する技法との関連で、理解されてもよい。これに関連して、光の色の透過することは、可視スペクトルにおける光の１つ以上の波長または波長帯域を透過することを意味し、または黒の場合には可視スペクトルの波長がに実質的に全くないことを意味する。黒の特殊な場合はまた、任意またはすべての可視波長の少量（たとえば、約１０％または１５％以下）が透過される可能性があるが、依然として支配的な配色を生じるわけではない場合には、灰色の黒っぽい濃淡を含む。
【００４９】
液晶ディスプレイ用の偏光子として用いるのに適した任意の偏光子を用いることができる。適切な偏光子としては、（たとえばヨウ素によって着色した延伸ポリビニルアルコール（ＰＶＡ）フィルムなどの線形吸収偏光子などの）ダイクロイック偏光子、（コレステリック円反射反射偏光子、多層複屈折反射偏光子などの）反射偏光子、吸収偏光子および反射偏光子の組合せなどが挙げられる。具体的な吸収偏光子としては、延伸着色ＰＶＡ（または他のフィルム）、たとえば米国特許第５，６６６，２２３号明細書およびジョン・Ｊ・カエル（Ｊｏｈｎ  Ｊ．Ｃａｅｌ）およびジョルジョ・トラパニ（Ｇｉｏｒｇｉｏ  Ｔｒａｐａｎｉ）による「ビニルアルコールおよびアセチレンのブロックコポリマーに基づく偏光子の分子特性および分光特性（Ｍｏｌｅｃｕｌａｒ  ａｎｄ  Ｓｐｅｃｔｒｏｓｃｏｐｉｃ  Ｐｒｏｐｅｒｔｉｅｓ  ｏｆ  ａ  Ｐｏｌａｒｉｚｅｒ  Ｂａｓｅｄ  ｏｎ  ａ  Ｂｌｏｃｋ  Ｃｏｐｏｌｙｍｅｒ  ｏｆ  Ｖｉｎｙｌａｌｃｏｈｏｌ  ａｎｄ  Ａｃｅｔｙｌｅｎｅ」Ｍａｃｒｏｍｅｄｉ  Ｓｙｍｐｏｓｉａ−Ｐｏｌｙｍｅｒ  ｉｎ  Ｄｉｓｐｌａｙ  Ａｐｐｌｉｃａｔｉｏｎｓ，４５〜５７頁（２０００）などに開示されているＫ型またはＫＥ型偏光子などの偏光シート、ゲストホスト型偏光子などが挙げられる。
【００５０】
別な方法では液晶ディスプレイ前置偏光子のための適切な候補として考えられない偏光子であっても、特に取外し可能な前置偏光子として用いられるときには、本発明において前置偏光子として用いることができる。たとえば、反射偏光子は周辺光を反射することができ、それによってグレアを潜在的に増大させ、コントラストを低下させることから、反射偏光子は通常は、ＬＣＤ用の前置偏光子のための優れた候補として考えられていない。しかし、反射偏光子はまた、一部のユーザに気に入られると考えられる金属のように見えるディスプレイ外観を与えることができる。美的価値観が最適な光学性能よりユーザにとって重んじられる状態では、反射偏光子または他の従来とは異なる前置偏光子も用いてもよい。さらに、前置偏光子の互換性により、光学性能の向上または他の外観特性を実現するために、前置偏光子を交換することができる。したがって、一般的な意味で、本発明は、前置偏光子を選択する際に、美的価値観を考慮するほか、光学的性能を考慮することができる。
【００５１】
本発明において用いるための具体的なゲストホスト型偏光子としては、国際公開第００／２２４６３号パンフレットおよび国際公開第０１／３１３７１号パンフレットに開示されている偏光子が挙げられる。ゲストホスト型偏光子は、２つの直交する偏光状態のいずれかまたは両方に関して、広範囲のスペクトル特性を呈するように構成することができる。一般に、ゲストホスト型偏光子は、ゲストマトリックスと、ホストマトリックスに配置され、ゲストマトリックスによって配向される少なくとも１種類のゲスト染料と、を含む。具体的な実施形態において、ゲストホスト型偏光子は、１種類以上の染料分子を保持する分子マトリックスを含むことができ、少なくとも１種類の染料分子が１つ以上の予め決定された配向に配置された多色性染料分子であり、色に応じて入射光を偏光するようになっている。同一の配向の染料は、黒をはじめとする異なる色を作成するために混合されることができる。
【００５２】
ゲストホスト型偏光子は、配向されることになっている特定の染料の化学構造に応じて異なる方向に異なる染料を配向することができる分子マトリックスを含むことができる。異なる染料が選択された分子マトリックスに関して異なる方向に配向されるように、異なる染料の組合せを組み込むことができる。このように、カラー／カラー（１つの偏光状態の光の色と、異なる偏光状態を有する光の別の色と、を透過する）、カラー／黒（１つの偏光状態の１つの色を透過し、他の偏光状態の実質的にすべての可視光を吸収する）または白／黒（１つの偏光状態の実質的にすべての可視光を透過し、実質的にすべての他の可視光を吸収する）であるゲストホスト型偏光子を形成するために、２種類以上の類似の配向または異なる配向の染料の組合せを用いることができる。同一のホストマトリックスに異なる配向の染料を結合することにより、独特の色および単独の薄層にデュアルカラー偏光子を生じることができる。また、異なる色効果を実現するために、異なる層を整列した配向または交差した配向で組合せることもできる。
【００５３】
あるいは、異なる配向の多色性染料を用いるのではなく、１種類以上の非配向性染料と共に同一方向に配向する１種類以上の染料を用い、すべてが分子マトリックスに配置される偏光子を構成することができる。そのような実施形態において、１つの偏光の光の色は、配向性染料によって吸収される光の波長および非配向性染料によって吸収される光の波長によって決定されるのに対し、直交する偏光の光の色は、非配向性染料によって吸収される光の波長によって決定される。たとえば、青色配向染料および黄色非配向性染料を用いて、両方の染料が１つの偏光状態に関して緑色光を生じるように配向され、黄色の染料のみが直交する偏光状態に関して黄色光を生じるように配向されるようにして、黄／緑偏光子を構成することができる。非偏光カラーフィルムまたはテリンテッドフィルムを偏光子と組合せることによって、類似の効果を実現することができる。
【００５４】
配向性染料および非配向性染料の組合せを用いて偏光子を作製することは、染料の選択により柔軟性を与えることができる。たとえば、一旦、ある用途のために１種類以上の適切な配向性染料を選択すると、１種類以上の非配向性染料を自由に選択して、さまざまな色の組合せを形成するために構成物に追加することができる。用途のために選択された配向性染料を変更することなく、非配向性染料を変更することによって、異なる色の組合せを実現することができる。さらに、特により高純度の染料が望ましい場合には、非配向性染料の方が多く市販されている可能性がある。
【００５５】
本発明の使用に適したゲストホスト型偏光子は、固体基板上に、多色性染料などの１種類以上のゲスト染料およびリオトロピック液晶ホスト材料の水溶液を塗布して、コーティングを乾燥させることによって作製されることができる。偏光子溶液が塗布される基板は、偏光子のための永久基板を作製してもよく、または独立したアイテムとして使用するため、または最終的な用途に適した別の基板に配置するために、偏光子を取外すことができるように一時的なものであってもよい。具体的な基板としては、ガラスおよび硬質ポリマー基板のほか、軟質ポリマーフィルム、多層フィルム、光学的積層、構造付きフィルムまたは基板などが挙げられる。具体的な基板はまた、他の偏光子、波長板、光制御フィルム、タッチパネル、レンズなどのディスプレイに有用な他の構成部品を含んでもよい。具体的な基板はまた、部分組立式または完全組立式液晶ディスプレイパネルを含んでもよい。
【００５６】
具体的な実施形態において、ゲストホスト型偏光子の分子またはホストマトリックスとしてリオトロピックネマチック液晶ライン材料を用いることができる。少なくとも１つのトリアジン基を含む液晶ラインマトリックス材料は、特に有用である場合がある。この種類のマトリックス材料は、さまざまなゲスト染料に対してホストとして作用することができると同時に、異なる染料に対して同一の配向または異なる配向を与える。このことから、異なる偏光平面において異なる色を透過することができる染料の適切な選択により、単独の偏光層を作製することができる可能性がある。
【００５７】
１種類以上の適切なゲスト染料を有するホスト化合物の溶液を塗布する場合には、順に並んだ構造を液晶ラインホスト材料に与えるために、液体層に剪断応力を印加することができる。十分に印加された剪断応力の場合には、配向性の液晶ライン構造により、多色性のゲスト染料を配向して、ダイクロイック偏光特性を有する単独層を生成するために乾燥することができる配向性のコーティング層を生成する。硬質基板の機械的変形を生じる可能性がある剪断応力に比べて、コーティング中に液体層に生成される剪断応力のレベルは低いため、ダイクロイック層の生成肯定は、基板の光学的特性を変形する応力を生成する傾向が低減されている。
【００５８】
本発明に適した分子マトリックス材料としては、米国特許第５，９４８，４８７号明細書に開示されているタイプのリオトロピックネマチック液晶ホスト化合物が挙げられる。国際公開第０１／３１３７１号パンフレットおよび国際公開第００／２２４６３号パンフレットもまた、適切なホスト化合物のほか、適切なゲスト染料を開示している。
【００５９】
上述したように、本発明による着脱自在に取付けられる前置偏光子と共に用いるのに適した電子装置は、情報を表示するために、光の偏光を変更するために液晶ディスプレイモジュールを用いる任意の電子装置であってもよい。図４は、液晶ディスプレイ４００を含み、かつ前置偏光子を含む物品１０を着脱自在に取付けるようになされることができる電子装置の実施例を概略的に示している。図４に示されている装置は、説明のためであり、用いることができる装置の種類を限定するわけではない。同様に、図４に示されているような前置偏光子を含む物品を取付けるための手段も説明のためであり、限定する意図はない。
【００６０】
図４（ａ）は、携帯電話４１０を示している。図示されているように、携帯電話４１０は、電話４１０の筐体の一部として永久に取付けられることができるか、米国特許第５，７６８，３７０号明細書に開示されているようなアドオンカバーまたは交換可能なカバーとして電話４１０に取外し可能に取付けられることができる面板４１１を具備している。物品１０は、カバー４１１または装置４１０の別の部分に取付けることができる。あるいは、取外し可能に取付けられるカバー４１１と装置４１０との間の所定の位置に、物品１０を保持することができる。
【００６１】
図４（ｂ）は、液晶ディスプレイ４００を含み、かつディスプレイ４００用の前置偏光子を含む物品１０を着脱自在に収容するようになされているＰＤＡ４２０を示している。多くのＰＤＡは、タッチパネルユーザインターフェイスを具備している。そういう次第で、多くの場合には、ＰＤＡのタッチパネルと、ＰＤＡのユーザとの間に、物品１０を位置決めすると考えられるため、ユーザが物品１０を介してタッチパネルを作動させる力を印加することになる。したがって、タッチパネルの応答および解像度を実質的に維持することができるように、物品１０は比較的薄く、コンプライアントであることが望ましいと考えられる。
【００６２】
図４（ｃ）は、液晶ディスプレイ４００を有し、かつディスプレイ４００用の前置偏光子を含む物品１０を着脱自在に収容するようになされているカーラジオ４３０を示している。場合によっては、カーラジオディスプレイは、時刻インジケータ、選局インジケータ、１つ以上のアイコンまたはグラフィックインジケータを含んでいてもよい。たとえば、時刻インジケータおよび選局インジケータと対比して、異なる外観をアイコンに与えるために、物品１０は、パターン形成された偏光子または異なる領域を覆う２つ以上の異なる偏光子を具備することができる。携帯電話のディスプレイ、ＰＤＡのディスプレイまたは異なる種類の情報を表示する２つ以上の異なる領域を組合せることができる他のディスプレイの場合にも、同様の効果を実現することができる。
【００６３】
図４（ｄ）は、液晶ディスプレイ４００を有し、かつディスプレイ４００用の前置偏光子を含む物品１０を着脱自在に収容するようになされている腕時計４４０を示している。図４（ｄ）に示されているような腕時計の面の形状は円形であることが多いことから、任意の所望の回転配向で物品１０を着脱自在に取付けるか、および／または腕時計に取付けられた後に、任意の位置まで物品１０を回転することができる。
【００６４】
回転可能に位置決め可能な前置偏光子により、ユーザはディスプレイ外観、コントラスト、配色などを変更するため、変更した照明状態を調整するためまたはある程度のプライバシーを実現するためにも（偏光子を液晶ディスプレイセルによって透過される光の２つの偏光に対して４５°に配向する）、偏光子を容易に再配向することができる。腕時計が説明のための例として示されているが、回転可能に位置決め可能な前置偏光子は、偏光子が装置に着脱自在または永久に取付けられるかに関係なく、液晶ディスプレイを有する任意の電子装置のために適合され、適用されることができる。さらに、電子装置は、回転可能な後置偏光子を備えていてもよい。変調のために、液晶セルに透過される光の偏光状態を変更するために、回転可能な後置偏光子の回転を用いることができる。実際には、後置偏光子の回転は、前置偏光子の回転と同一の視覚的効果を生じることができる。
【００６５】
上述したように、前置偏光子を含む着脱自在に取付け可能な物品は、偏光フィルム、透過窓、偏光子を含む基板またはレンズ、偏光子を含むか、または透過基板、窓、または偏光子を含むレンズなどを含むカバーまたは面板または他のそのようなアイテムであってもよい。図４（ａ）〜図４（ｄ）は、偏光子を含む取外し可能な窓物品を示しており、直接または１つ以上の他の取外し可能なアイテムの利用によって、液晶ディスプレイを含む電子装置に前置偏光子を着脱自在に取付けるすべての態様が考えられる。
【００６６】
図５（ａ）および図５（ｂ）は、別の取外し可能に取付け可能なアイテムの利用によって偏光子を含む物品を取付けることができる１つの方法を示している。図５（ａ）は、前置偏光子を含み、かつ携帯電話（図示せず）用の取外し可能な面板５１０の窓開口部に適合するようになされている窓５００を示している。図示されているように、窓５００は面板５１０と電話との間に適合し、面板５１０は任意の適切な方法によって電話に取外し可能に取付ける。面板を携帯電話に取外し可能に取付けるための適切な手段は、米国特許第５，７６８，３７０号明細書に開示されている。図５（ｂ）は、前置偏光子および取外し可能なカバー５３０を含む窓５２０がハンドヘルドコンピュータ装置（図示せず）に着脱自在に取付けるようになされている場合の類似の概念が示されている。
【００６７】
上述したように、本発明は、再配置可能な前置偏光子が着脱自在に取付け可能である実施形態および着脱自在に取付け可能でない実施形態において、電子装置の液晶ディスプレイ用の再配置可能な前置偏光子を予想している。たとえば、ディスプレイの平面に対して傾斜可能であるように、蝶着された透過面に偏光子を適切に取付けることができる。このことにより、複数の利点を提供することができる。たとえば、前置偏光子を傾斜させることにより、最初に前置偏光子を通過しない周辺光の少なくとも一部に対してディスプレイモジュールを曝すことができる。このことにより、より多くの光がディスプレイに入射することができ、今度は反射モードのディスプレイ状態下で、より明るいディスプレイ外観を生じることができる。ユーザは、ティルトアップ型前置偏光子を通して見ることによって、ディスプレイを今までどおり見ることができる。さらに言えば、傾斜された前置偏光子を通して見ることは、そうでなければ一番上の偏光子によって持ち込まれる減衰損失を制限することにより、および多くの場合には、ディスプレイによる面反射のために、ピークのグレア角度からユーザの視線を遠ざけるように指向することにより、ディスプレイのコントラストを増大させることができる。性能に関する利点はさておき、ディスプレイモジュールを直接（すなわち、前置偏光子を通さずに）見たときに画像が表示されておらず、前置偏光子を通してじっと見返すと移り変わるように、画面が「魔法のように」再び現れるというユーザの驚きの反応に乗じた「目新しい要因」に基づき、ユーザにとって傾斜可能な前置偏光子が望ましい場合がある。このような目新しい要因はまた、着脱自在に取付け可能な前置偏光子の消費者の好ましさを付加することができ、スタイル化または希望に関係なく、ユーザが取外したり、いじくり回したり、再び取付けたりすることができる。
【００６８】
傾斜可能な前置偏光子は、電子装置に取外し可能または永久に取付けられるように形成されることができる。示されているように、図６は、ＬＣＤモジュール６１０と、蝶番６３０によって取付けられる傾斜可能に接続された前置偏光子６２０と、を具備する携帯電話６００を示している。ユーザが少なくともわずかに後方に傾斜させたディスプレイを有する装置を保持することが自然な傾向であるため、携帯電話６００、ＰＤＡなどのハンドヘルド装置は、傾斜可能な偏光子を適用するのに特に適していると考えられる。これは、偏光子が上方に傾斜されているときには余分な周辺光を受光し、ピークグレア角度からユーザの視線を遠ざけるように指向するために、ディスプレイモジュールを所定の位置に配置する。図６に示されているように、傾斜可能な偏光子が取付けられることにより、ユーザが装置を遠ざけるように傾斜する傾向を促進することができ、上述したように、より高いコントラストのより明るいディスプレイ外観を得て、グレアを低減することができる。
【００６９】
傾斜可能な前置偏光子は、本発明によって予想される再配置可能な前置偏光子の１つの種類である。別の種類としては、ディスプレイモジュールに対して回転可能である前置偏光子が挙げられる。ＬＣＤモジュールを有する腕時計用の前置偏光子に関連して、上記に例が開示されている。本発明によって予想される任意の装置に回転可能な前置偏光子を実装してもよく、連続的に回転可能であり、２つ以上の異なる配向に回転可能であってもよく、取付けている間に回転可能であってもよく、または取外して異なる配向に再び取付ける場合に限り、回転可能であってもよい。特に照明状態の変化に応じて、急速な画像反転、たとえば明るい背景に黒っぽい文字から黒っぽい背景に明るい文字に反転することによって、ディスプレイのコントラストを向上させるために、回転可能な前置偏光子を用いることができる。一部の半透過型ディスプレイでは、反射モード画像および透過モード画像は互いに反転している。回転可能な前置偏光子により、ディスプレイのモードを切り替えるときには、偏光子を適切に回転することによって、反射モードであるか透過モードであるかに関係なく、ユーザは所望のディスプレイ外観を維持することができる。別の例としては、ディスプレイ全体の外観を変更するために、たとえば、そのディスプレイ領域の外観を変更するために、ディスプレイの異なる領域に関して偏光子の特定の領域を再配置することによって、パターン形成された偏光子（たとえば、色および／または偏光子の異なる領域から異なる色および／または光の偏光を透過する偏光子）を回転することができる。
【００７０】
再配置可能な前置偏光子および着脱自在に取付け可能な前置偏光子に加えて、偏光眼鏡などの遠隔位置の解析偏光子を通して見るように、反射モードＬＣＤを適合させることが有利である場合もある。たとえば、携帯電話および他のハンドヘルド式携帯可能な電子装置は、前置偏光子を含まないＬＣＤモジュールを装備してもよい。そのような装置のディスプレイは、前置偏光子を通して見なければ見にくい。上述のように、ディスプレイの前の装置に前置偏光子を取付けることができる。本発明はまた、前置偏光子を遠隔位置に配置することができることも予想している。
【００７１】
遠隔位置の解析偏光子は、複数の利点を提供することができる。傾斜可能な前置偏光子に関連して上述したように、ディスプレイを照らす光がディスプレイモジュールと光源との間に位置する前置偏光子によって減衰されないため、遠隔位置の前置偏光子は、より明るく、より高いコントラストで見える反射モードＬＣＤを生じることができる。同時に、ディスプレイの目視可能性は、前置偏光子とディスプレイモジュールとの距離に左右されない。したがって、偏光レンズまたは窓を有する１組のガラスなどにおけるビューアの眼の直前をはじめとして、ビューアとディスプレイとの間のいずこかに前置偏光子を配置することができる。ディスプレイは偏光子を備えていない傍観者にとって見やすくないため、偏光眼鏡を通して前置偏光子を含まないディスプレイを見ることにより、ビューアにプライバシーという要素を与えることができる。一定の着色偏光子を通すと見やすいが、他人には見にくいような多色または着色のモノクロディスプレイを有することにより、さらなる程度のプライバシーを提供することができる。当該テーマの変形として、ハンドヘルド型電子ゲームなどの電子装置を複数のプレイヤ用に設計することができ、ディスプレイが異なる色および／または異なる偏光の画像を放射する場合には、各プレイヤが異なる目視経験をするように異なる色および／または異なる配向の偏光ガラスを装備することができる。たとえば、一人のプレイヤによって見ることができる一部の画像は、他のプレイヤには隠されていてもよく、逆もまた同様である。
【００７２】
また、ＬＣＤから前置偏光子を分離することにより、前方から反射型ＬＣＤを照らす際に自由度を大きくすることができる。図７は、光の偏光を選択的に変調するための液晶セル７１０と、後置偏光子７２０と、反射体７２５と、フロントライトガイド７３０と、前置偏光子７４０と、を具備する反射型液晶ディスプレイ７００を示している。偏光子７２０および反射体７２５は、反射偏光子、反射体に接合した吸収偏光子、反射偏光子および吸収偏光子の組合せなどの１つの素子に結合されてもよい。ディスプレイ７００には、他の光学素子も存在してもよい。
【００７３】
フロントライトガイド７３０は、光を生成し、液晶セルおよびフロントライトガイドを通した偏光、反射、再透過のために、液晶セル７１０によって光を下方に指向する（周辺光源とは対照的に）内部光源として設計され、ビューア７５０にとって目視可能な画像を表示するために、光は前置偏光子７４０によって解析されることができる。ディスプレイモジュールから前置偏光子を分離することにより、液晶セルと前置偏光子との間に、ロントライトガイドを配置することができる。したがって、フロントライトガイドによって液晶セルに向かって放射されたより多くの光が、前置偏光子を最初に通過する必要がないために、ディスプレイの照明として利用可能である。さらに、ビューアとフロントライトガイドとの間に配置される前置偏光子がこのコントラストの低下を招く光の一部を遮断することができるために、図７に示された構成は、フロントライトガイドからの反射によるグレアまたはフロントライトガイドから直接ビューアに放射される望ましくない光に起因するコントラストの低下を生じにくい。
【００７４】
前述したように、本発明はまた、取外し可能かつ交換可能なディスプレイモジュールを予想している。ディスプレイ外観を変更するため、ディスプレイサイズを変更するため、ディスプレイまたは電子装置の機能性を変更するため、より高級または新たな技術のディスプレイによって電子装置の性能を向上するため、ディスプレイモジュールを交換することができる。電子装置および取外し可能なディスプレイモジュールは、元の機器メーカから組立工まで、ディスプレイまたは装置のエンドユーザまでの商取引の連鎖網の任意の段階でモジュールを交換することができるように設計または適応されていてもよい。装置は、装置のユーザが装置またはディスプレイを損傷する著しい危険性を伴うことなく、ディスプレイモジュールを交換することができるように設計または適応されることが好ましい。
【００７５】
図８（ａ）は、一旦、電源および必要な電子部品に適切に電子的に接続されると、画像を表示するために完全に機能するディスプレイモジュール８００を概略的に示している。簡単な取付けおよび取外しのために、モジュール８００は、電子装置（図示せず）に形成されるコネクタスロット８２０に嵌合されることができる複数のピンまたはコネクタ８１０を提供されることができる。ディスプレイモジュールを容易に取外して取付けるために傾けて外し、ディスプレイモジュールの交換のために取外された任意のカバー、窓、面板などの交換のために傾けて所定の位置に戻すために、コネクタスロット８２０を電子装置に傾斜可能に取付けてもよい。スタイルおよび／または機能性のために、ディスプレイモジュールを交換することができる。
【００７６】
図８（ｂ）および図８（ｃ）は、ユーザインターフェイスの機能性を変更し、より大きなディスプレイ領域を提供するためのディスプレイモジュールの交換を示している。図８（ｂ）は、筐体および電子部品８５２と、ディスプレイを装置に取外し可能に接続するための電気コネクタ８６２を備えたディスプレイモジュール８６０と、キーパッドを装置に取外し可能に接続するための電気コネクタ８７２を備えたキーパッドユーザインターフェイス８７０と、キーパッドカバー８８２および窓８８４を含むカバー８８０と、を具備する電子装置８５０の概略断面図を示している。ディスプレイモジュール８６０およびキーパッド８７０は、個別に取外し可能であってもよく、または一部材として取外し可能である一構成単位の一部であってもよい。設計されているように、ユーザは、カバー８８０を取外して、今度はディスプレイモジュール８６０およびキーパッド８７０を取外すことができるようにディスプレイモジュール８６０およびキーパッド８７０を見えるようにすることが可能である。図８（ｃ）は、交換されたディスプレイおよびユーザインターフェイスを備えた電子装置８５０である電子装置８５０’の概略断面図を示している。図８（ｃ）において、ディスプレイモジュール８６５は、コネクタ８６７を用いて装置８５０’に差込まれる。ディスプレイモジュール８６５は、より大きい表示領域を有する。ディスプレイモジュール８６５はまた、元のキーパッドユーザインターフェイスを交換するために、タッチパネルユーザインターフェイスを備えていてもよい。また、より大きな窓領域８９２を有する新たなカバー８９０を提供してもよい。
【００７７】
図８（ａ）〜図８（ｃ）は、交換可能なディスプレイモジュールに関する本発明の概念を説明するために機能し、示されている交換に限定することを意味するわけではない。たとえば、モノクロＬＣＤモジュールをフルカラーＬＣＤモジュールと交換するため、ＬＣＤモジュールを有機エレクトロルミネセンスディスプレイなどの別のディスプレイタイプと交換するため、小さめのディスプレイモジュールを大きめのディスプレイモジュールと交換するため、低解像度のディスプレイモジュールを高解像度のディスプレイモジュールと交換するため、もはや機能しないディスプレイモジュールを機能するディスプレイモジュールと交換するためなど、取外し可能なディスプレイモジュールを用いることができる。
【００７８】
取外し可能な前置偏光子の本発明の概念に戻って参照すると、電子装置において液晶ディスプレイモジュールから前置偏光子を分離することによって、本発明は、前置偏光子の選択および交換によって、電子装置のディスプレイ外観をカスタマイズまたは再度カスタマイズする際に、新たな次元の自由度を提供することができる。たとえば、電子装置のメーカおよびモデルを知ることによって、消費者は、白の背景に黒、黒の背景に白、黒の背景にカラー、白の背景にカラー、カラーの背景に黒、カラーの背景に白、色２の背景に色１、均一の色または混合色の背景に混合色など、ディスプレイの独特の外観を与えるために交換することができる１種類以上の異なる前置偏光子を購入することが可能となる。さらに、電子装置の販売時点の前、販売時点または販売時点の後で、消費者は、特定の電子装置および／または電子装置に提供される液晶ディスプレイのための、利用可能なスタイルのリストから生成されるメニューによって、１つ以上の所望のディスプレイ外観を選択することができる。次に、選択されたディスプレイ外観を適切な前置偏光子と相関させて、電子装置の購入と共に、または別々の購入として取付け可能な物品として消費者に提供されることができる。
【００７９】
利用可能なディスプレイ外観およびその結果として前置偏光子の選択することができる１つの方法は、コンピュータシステムによる。図９を参照すると、コンピュータシステム９００は、中央処理装置（ＣＰＵ）９１０と、ランダムアクセスメモリ（ＲＡＭ）９２０と、（ハードドライブ、ＣＤ−ＲＯＭドライブ、ディスケットドライブなどの）大容量記憶装置９３０と、（陰極線管ディスプレイ、ＬＥＤディスプレイ、ＬＣＤまたはプラズマディスプレイなどの）ディスプレイ９４０と、（ドットマトリックスプリンタ、レーザプリンタまたはインクジェットプリンタなどの）プリンタ９５０と、を具備し、ＣＰＵは、ＲＡＭ９２０および大容量記憶装置９３０に読出しおよび書込みを行うことができるように関連付けられ、ディスプレイ９４０上の画像およびプリンタ９５０の出力を制御することができる。
【００８０】
コンピュータシステム９００は、ホームコンピュータ、インストア・キオスク、電話またはメールイン注文書などによって消費者からデータを収集するサービスマンによって作動されるコンピュータシステムであってもよい。具体的な実施形態ではコンピュータシステム９００は独立型システムであってもよいが、コンピュータシステム９００はコンピュータネットワークに接続されていてもよい。図１０を参照すると、ネットワーク１０００は、ネットワーク１００３を介して中央システム１００５に接続された複数のユーザシステム１００１を含むことができる。中央システム１００５および各ユーザシステム１００１は一般に、コンピュータシステム９００として記載される種類のシステムであってもよい。中央システムに接続しているユーザ１００１の数は、固締であってもよく、時間ごとに変化してもよい。接続方法は、たとえば、モデム、専用ケーブルまたは専用線、（インターネットなどの）介在システム、無線接続または任意の他の適切な方法によって、直接的であっても間接的であってもよい。
【００８１】
図１１は、ユーザまたは顧客が、ネットワーク１０００を経由するかどうかに関係なく、電子装置の液晶ディスプレイモジュールをカスタマイズまたはスタイル化するために、１つ以上の前置偏光子を購入するための選択および注文するためにどのようにコンピュータシステム９００とインターフェースをとるかの一例を示すフローチャートである。最初のステップは、前置偏光子によってスタイル化またはカスタマイズされる電子装置が、１つ以上の前置偏光子（およびスタイル化用の面板などの他の任意の構成部品）の注文と共に購入される新たな装置であるかどうか、または電子装置が既に所有しており、１つ以上の追加の前置偏光子と適合することができるかどうかを決定するためであってもよい。特定の装置用の前置偏光子の利用可能性は、装置が新たに導入される装置であるかどうかに左右される可能性があるため、このステップは重要であると考えられる。任意の決定ステップにおいて、確信のないまたは優柔不断な顧客には、顧客サービス代表者に送信されるオプションまたは質問に対する答えのためおよび／または注文プロセスの完了のためのヘルプラインがあってもよい。
【００８２】
スタイル化される装置が新たな装置または既存の装置のいずれであるかを選択した後、システムは前置偏光子を購入することができる電子装置の利用可能なカテゴリを検索することができる。利用可能なカテゴリに関するこのリストを用いて、ユーザの好みに合ったカテゴリを選択するようにユーザに促すことができる。カテゴリの概要説明の例は、携帯電話、ＰＤＡ、他のハンドヘルド装置または携帯装置、家庭用電化製品、自動車のディスプレイおよび他の装置であってもよい。そのカテゴリから電子装置の利用可能なメーカおよびモデルのリストを検索するために、カテゴリの選択を用いることができる。次に、ユーザは、該当する装置に適合するメーカおよびモデルを選択することができる。システムは、メーカおよびモデルの選択から該当する装置のディスプレイに関して、可能な「外見」および／または利用可能な「外見」をすべて検索することができる。たとえば、ディスプレイスクリーンは、選択された装置の写真を示すことができ、ユーザが好みを決定するのに役立つように、装置のディスプレイの外観を交互に切り替えることができる。任意に、装置全体のスタイル化を決定するのに役立つように、および／または新たなカバーまたは面板を洗濯するのに役立つように、装置の面板またはカバーの外観をユーザによって変更することができる。
【００８３】
続いて、ユーザは、ディスプレイ用の任意の１つ以上の「外見」を選択することができる。これらの好みを保存して、選択された外観を実現すると推測される特定の前置偏光子（または別のアイテム）と相関させることができる。一連の選択の終了時には、ユーザは、注文を出す準備が整っていることをシステムに知らせることができる。注文を出す前に、システムは別のアイテムも購入することになっているかどうか、たとえば、スタイル化されている電子装置、（注文を保存し、フローチャートを新たに実行した結果を追加することができる場合には）別の電子装置、新たなカバーまたは面板などを購入するかどうかを任意に促すことができる選択がなされると、ユーザは、たとえば支払い情報、配送または積込みの選択などを提供することによって、注文の完了に進むことができる。システムは、選択されたアイテムの在庫があるか、または特に注文する必要があるかどうか、または顧客が製作する必要があるかどうかをユーザに知らせることができてもよい。続いて、注文処理のために、注文情報を適切に送ることができる。
【００８４】
記載されたシステムは、消費者が電子装置の液晶ディスプレイ用の前置偏光子を含む１つ以上の着脱自在に取付け可能な物品の顧客注文を選択するのに手助けすることができる。あるいは、電子装置の液晶ディスプレイ用の前置偏光子を含む予めパッケージ化された着脱自在に取付け可能な物品を販売するためにも有用であると考えられる。たとえば、補足的な外観の並べ替えを提供するか、または特定のテーマに従うこのような物品を単独アイテムとしてまたは２つ以上の物品のセットで販売することができる。説明のための一実施形態は、４つの前置偏光子からなる「Ｍｉｎｎｅｓｏｔａ  Ｓｐｏｒｔｓ  Ｆａｎ」セットであってもよく、それぞれの前置偏光子が、ミネソタ州に本拠地を置く４つの主要なリーグスポーツのフランチャイズの１つの一様な色で統一するために、ディスプレイの外観を変更するために用いることができる。取外し可能な面板またはカバーを適合させることはまた、同一のパッケージにおいて行われてもよく、または個別の販売で利用可能であってもよい。他のテーマの例としては、毎日の個人的な気分に応じて、ユーザが切り替えることができる一連の「気分」偏光子を挙げることができる。前置偏光子は、一定の外観特性および／またはスタイルに関する機知の好みまたは明白な好みを有する人口統計に対して、市場に出すことも可能である。たとえば、多くのＢＭＷ自動車所有者に喜ばれる色または他の外観特性を有する一連の前置偏光子を、同所有者の携帯電話またはＰＤＡ用として市場に出すことができる。ファッション意識の強い願望を満たすために、またはブランドを市場に出す企業の独特の方法を提供するために、適切なライセンス契約書の下で、企業のロゴおよび／または製品の商標を適合するカバーまたは面板に追加することができる。これにより、バニティプレートにある程度類似している方法で、セルラー電話、パームトップコンピュータなどを別にして、装置およびディスプレイのパーソナライゼーションを行うことができる高級レベルのスタイル化を図ることができる。
【００８５】
着脱自在に取付け可能な前置偏光子物品はまた、単独で販売される可能性もあり、または装置と共に前置偏光子を保持するためのスロットまたはポケットも含む電子装置用のケースまたは容器と共に、セットで販売される可能性もある。たとえば、携帯電話保持ケースまたはＰＤＡ用の前面カバーフラップは、容易にアクセスしやすいようにするために、さまざまな異なる前置偏光子を摺動するための１つ以上のポケットを含むように形成されてもよい。説明のための実施形態として、図１２は、液晶ディスプレイモジュール１２２０と、液晶ディスプレイモジュール１２２０の前に前置偏光子１２３０を挿入するためのスロット１２１０と、を具備するハンドヘルドコンピュータ１２００を示している。前置偏光子１２３０は、たとえば、別の偏光子と交換するために、偏光子１２３０を把持し、取外すためのタブ１２３１を備えるように形成されることができる。図１２はまた、ハンドヘルドコンピュータ１２００用のカバーフラップとして設計されているカバーフラップ１２４０も示している。カバーフラップ１２４０は、ハンドヘルドコンピュータ１２００の前置偏光子として交換可能であってもよい前置偏光子１２６０を潜在的に収容することができる一連のオーバーレイ式ポケット１２５０を具備している。そういう次第で、ユーザは、従来の偏光子の交換のために、装置と共に１つ以上の交換用前置偏光子を携帯することができる。図１２に示された概念は、交換可能な前置偏光子によってスタイル化することができ、かつ任意の携帯可能な装置またはハンドヘルド装置に特に適している液晶ディスプレイモジュールを有する任意の適切な装置に拡張されることができる。
【００８６】
図１２はまた、交換可能な後置偏光子を示すためにも用いられることができる。そのような場合には、スロット１２１０は、ディスプレイモジュール１２２０の後方の所定の位置に偏光子１２３０を摺動させることができるように位置決めされる。透過モードで動作することができるディスプレイモジュールの場合には、ディスプレイモジュール１２２０とバックライト（図示せず）との間に偏光子１２３０を位置決めすることができる。反射モードで動作することができるディスプレイモジュールの場合には、ディスプレイモジュール１２２０と反射体（図示せず）との間に偏光子１２３０を位置決めすることができるか、または偏光子１２３０が反射偏光素子（たとえば、反射偏光子または反射素子に配置された吸収偏光子）であってもよい。
【００８７】
特許、特許文献および上述の出版物は、完全に複製されているかのごとく、本願明細書に引用されるものとする。
【実施例】
【００８８】
実施例１および実施例２
ノキアモデル３３１０（Ｎｏｋｉａ  ｍｏｄｅｌ  ３３１０）のセルラー電話ディスプレイが、電話の液晶ディスプレイモジュールから一番上の線形吸収偏光子を剥ぎ取ることによって改良された。この偏光子は元の機器メーカによって提供されたものであった。前置偏光子を備えていないセルラー電話ディスプレイは、交換可能な前置偏光子の概念を評価するための基準を提供した。
【００８９】
実施例１
第１の実施例において、セルラー電話によって提供されたものと類似の吸収前置偏光子が、セルラー電話の交換可能な面板におけるレンズ素子の空いた領域に適合するように切断された。次に、透明な感圧接着剤を用いて、前置偏光子がレンズ面の裏面に積層された。前置偏光子の光軸は、セルラー電話によってもともと供給された偏光子の光軸に直交するように配向された。新たな前置偏光子を有する取外し可能な面板を交換することによって、明るい背景に元の黒い文字のディスプレイ外観とは対照的に、黒い背景に明るい文字として見えた。
【００９０】
実施例２
第２の実施例において、前置偏光子としてデュアルカラーのゲストホスト型偏光子が用いられた。デュアルカラー偏光子は、１つの直線偏光状態の光の「明るめの」藍色および直交する直線偏光状態の「暗めの」青色を透過した。デュアルカラー偏光子は、以下の実施例３に記載されているように作製された。デュアルカラー偏光子は、切断され、透明な感圧接着剤を用いて、セルラー電話の交換可能な面板の透明なレンズの内面に積層された。交換可能な面板が交換されると、デュアルカラー偏光子は、藍色の背景に黒っぽい青の文字というディスプレイ外観を提供するように配向された。
【００９１】
実施例３
実施例２において用いられた青／藍のデュアルカラーゲストホスト型偏光子は、以下の方法で作製された。
【００９２】
脱イオン水に５重量％のＮＨ4ＯＨを含む水溶液８２ｇに、「化合物Ｂ」として以下に示された１２ｇのリオトロピックホスト材料を溶解することによって、ホスト溶液が調製された。次に、溶液の被膜可能性を強化するために、ペンシルバニア州アンブラーのコグニス・コーポレーション（Ｃｏｇｎｉｓ  Ｃｏｒｐｏｒａｔｉｏｎ（Ａｍｂｌｅｒ，ＰＡ））から商標名「ＡＧＰ  ３２５」で市販されている界面活性剤が、０．１重量％のホスト溶液に添加された。
【化１】
2004531769.tif 000004
【００９３】
続いて、ゲストホスト溶液を調製するために、以下の量の以下の染料、すなわちノースカロライナ州シャーロットのクロンプトン・アンド・ノールズ・カラーズ・インコーポレーティッド（Ｃｒｏｍｐｔｏｎ  ＆  Ｋｎｏｗｌｅｓ  Ｃｏｌｏｒｓ  Ｉｎｃ．（Ｃｈａｒｌｏｔｔｅ，ＮＣ））から商標名「イントラジェットブルーＡＪＡ（Ｉｎｔｒａｊｅｔ  Ｂｌｕｅ  ＡＪＡ）」で入手可能な３ｇのアシッドブルー９およびミズーリー州セントルイスのシグマ・アルドリッチ（Ｓｉｇｍａ−Ａｌｄｒｉｃｈ（Ｓｔ．Ｌｏｕｉｓ，ＭＯ））から商標名「エバンズブルー（Ｅｖａｎｓ  Ｂｌｕｅ）」で入手可能な１．７ｇのダイレクトブルー５３が、９４ｇのホスト溶液に添加された。次に、ゲストホスト溶液が約８ミクロンの湿潤厚さだけポリエチレンテレフタレート（ＰＥＴ）基板上に剪断塗布された。ＰＥＴ基板は、日本の大阪の帝人から市販されている予め下塗りされたＰＥＴフィルムであった。続いて、５０℃で２０秒間乾燥されると、１つの直線偏光状態における明るい藍色および直交する直線偏光状態における暗めの青色を透過するデュアルカラー偏光子が生じた。
【００９４】
本発明は、上述の特定の実施例に限定されると考えるべきではなく、むしろ、添付の特許請求の範囲に完全に記載されているような本発明のすべての態様を網羅するものと考えるべきである。本発明が適用可能であると考えられるさまざまな修正、等価な工程のほか、さまざまな構造は、本願明細書を再検討すれば、本発明が関与する当業者には容易に明白となるであろう。
【図面の簡単な説明】
【００９５】
【図１】電子装置および取付け可能な前置偏光子の概略図である。
【図２（ａ）】本発明で用いることができるさまざまな取付け手段の概略図である。
【図２（ｂ）】本発明で用いることができるさまざまな取付け手段の概略図である。
【図２（ｃ）】本発明で用いることができるさまざまな取付け手段の概略図である。
【図２（ｄ）】本発明で用いることができるさまざまな取付け手段の概略図である。
【図２（ｅ）】本発明で用いることができるさまざまな取付け手段の概略図である。
【図２（ｆ）】本発明で用いることができるさまざまな取付け手段の概略図である。
【図３（ａ）】偏光子を含む物品の概略側面図である。
【図３（ｂ）】透過光の偏光子に及ぼす効果を示す概略図である。
【図４（ａ）】液晶ディスプレイモジュールを具備し、前置偏光子を含む物品の取付けに適応することができるさまざまな電子装置の概略図である。
【図４（ｂ）】液晶ディスプレイモジュールを具備し、前置偏光子を含む物品の取付けに適応することができるさまざまな電子装置の概略図である。
【図４（ｃ）】液晶ディスプレイモジュールを具備し、前置偏光子を含む物品の取付けに適応することができるさまざまな電子装置の概略図である。
【図４（ｄ）】液晶ディスプレイモジュールを具備し、前置偏光子を含む物品の取付けに適応することができるさまざまな電子装置の概略図である。
【図５（ａ）】取付け可能な面板と、前置偏光子を含む窓要素の概略図である。
【図５（ｂ）】取付け可能な面板と、前置偏光子を含む窓要素の概略図である。
【図６】液晶ディスプレイモジュールおよび再配置可能な前置偏光子を有する電子装置の概略図である。
【図７】フロントライト式反射液晶ディスプレイの概略側面図である。
【図８（ａ）】取外し可能なディスプレイモジュールの概略図である。
【図８（ｂ）】電子装置および取外し可能なディスプレイモジュールおよび電子装置に接続可能なユーザインターフェイスの概略図である。
【図８（ｃ）】電子装置および取外し可能なディスプレイモジュールおよび電子装置に接続可能なユーザインターフェイスの概略図である。
【図９】コンピュータシステムの概略図である。
【図１０】中央システムに接続されたネットワークの概略図である。
【図１１】本発明の方法におけるステップを示すフローチャートである。
【図１２】電子装置と、取外し可能な前置偏光子と、装置に隣接位置で追加の前置偏光子を収容するためのポケットと、を具備するアセンブリの概略図である。
【図９】
2004531769.tif 000005
【図１０】
2004531769.tif 000006
【図１１】
2004531769.tif 000007
【国際公開パンフレット】
2004531769.tif 000008
2004531769.tif 000009
2004531769.tif 000010
2004531769.tif 000011
2004531769.tif 000012
2004531769.tif 000013
2004531769.tif 000014
2004531769.tif 000015
2004531769.tif 000016
2004531769.tif 000017
2004531769.tif 000018
2004531769.tif 000019
2004531769.tif 000020
2004531769.tif 000021
2004531769.tif 000022
2004531769.tif 000023
2004531769.tif 000024
2004531769.tif 000025
2004531769.tif 000026
2004531769.tif 000027
2004531769.tif 000028
2004531769.tif 000029
2004531769.tif 000030
2004531769.tif 000031
2004531769.tif 000032
2004531769.tif 000033
2004531769.tif 000034
2004531769.tif 000035
2004531769.tif 000036
2004531769.tif 000037
2004531769.tif 000038
2004531769.tif 000039
2004531769.tif 000040
2004531769.tif 000041
2004531769.tif 000042
2004531769.tif 000043
2004531769.tif 000044
2004531769.tif 000045
2004531769.tif 000046
2004531769.tif 000047
2004531769.tif 000048
2004531769.tif 000049
2004531769.tif 000050
2004531769.tif 000051
【国際公開パンフレット（コレクトバージョン）】
2004531769.tif 000052
【国際調査報告】
2004531769.tif 000053
2004531769.tif 000054